(57)【要約】【課題】  洗車機において、洗車機本体の人目につきやすい側面や前面に雨筋汚れが付き難くして、該洗車機本体の外観上の体裁を高める。【解決手段】  洗車機本体１の上面外板１０の、上面の縁部１１Ａは、その上面の縁部１１Ａと側面１１とで形成される角１１Ｃから離れるにしたがって下り勾配に傾斜する傾斜面を有し、その角１１Ｃは半径５ｍｍ以下であり、上面縁部１１Ａに付着した雨水は、その雨水の表面張力、前記角１１Ｃおよび前記傾斜面との作用で、側面１１に落ちずに、上面の縁部１１Ａ上を流れ落ちて上面外板１０から外に排出される。【選択図】    図５
2006224843.tif 000002
【特許請求の範囲】
【請求項１】
輪郭外面に上面と縦面とを備えた屋外構造物であって、
前記上面の縁部は、その上面の縁部と前記縦面の上縁とで形成される角から離れるにしたがって下り勾配に傾斜する傾斜面を有しており、前記角は半径５ｍｍ以下に形成されており、前記上面縁部に付着した雨水は、その雨水の表面張力、前記角および前記傾斜面との協働により、前記縦面に流れ落ちずに、上面の縁部上を流れ落ちて上面から外に排出されることを特徴とする、屋外構造物。
【請求項２】
輪郭外面に上面と縦面とを備えた屋外構造物であって、
前記上面の縁部と前記縦面の上縁とで角が形成され、前記上面の縁部に付着した雨水は、該上面の縁部および前記角の表面の水接触角と前記角の形状とで決められる、雨水の表面張力による重力に逆らう力により、前記縦面に流れ落ちずに、上面の縁部上を前記角に沿って流れ落ちて上面から外に排出されることを特徴とする、屋外構造物。
【請求項３】
輪郭外面に上面と縦面とを備えた屋外構造物であって、
前記上面の縁部と前記縦面の上縁とで角が形成され、前記上面の縁部には、その縁部と前記角との境界線に沿って横方向に延びる帯状の親水性面を有し、この親水性面は、水接触角が前記角よりも小さい３０度以下であり、前記上面の縁部に付着した雨水は、前記角と親水性面との水接触角との差により、前記縦面に流れ落ちずに、前記親水性面上を前記角に沿って流れ落ちて上面から外に排出されることを特徴とする、屋外構造物。
【請求項４】
輪郭外面に上面と縦面とを備えた屋外構造物であって、
前記上面に、その上面の雨水を集水する集水手段を設け、前記縦面に、前記集水手段で集水した雨水を流し落とすための上下方向に延びる帯状の縦親水性面を有し、その縦親水性面は、水接触角が３０度以下であり、前記縦親水性面と前記縦面との境界線で水接触角が変わり、前記縦親水性面の水接触角よりも前記縦面の水接触角が大きいことを特徴とする、屋外構造物。
【請求項５】
前記構造物は洗車機本体であり、前記縦面が洗車機本体の側面であることを特徴とする、前記請求項２または３記載の屋外構造物。
【発明の詳細な説明】
【技術分野】
【０００１】
本発明は、輪郭外面が上面と縦面とを備えており、洗車機の洗車機本体などの降雨に曝される屋外構造物に関する。
【背景技術】
【０００２】
従来、屋外構造物としての、洗車機の洗車機本体の輪郭外面の、人から見え易い前面や左右側面が雨水などで汚れ難くしたものは公知である（たとえば、下記特許文献１参照  ）。
【特許文献１】特開２００４−１７５１７４号公報。
【発明の開示】
【発明が解決しようとする課題】
【０００３】
ところで、前記特許文献１に開示される洗車機の洗車機本体は、その上面の側縁部に突起物を設けて、上面の雨水が側面に垂れないようにして、洗車機本体の側面の汚れを防止するようにし、また、洗車機本体の上面の雨水が後面へ流れ落ちるように、その上面を、その前面側から後面側へ向けて下り勾配に傾斜して、洗車機本体の前面や左右側面に汚れが付着するのを防止するようにしている。
【０００４】
ところが、このものでは、突起物よりも側面側の上面の雨水が側面に沿って流れることになるので、その側面に雨筋汚れが付き、また、上面の傾斜によっても前面に雨筋汚れが付くという問題があった。
【０００５】
本発明は、上記問題に鑑みてなされたもので、洗車機本体などの屋外構造物の、人の目につきやすい前面や側面などの縦面に雨筋汚れが付き難くして、その外観上の体裁を高めるよにした、新規な屋外構造物を提供することを目的とする。
【課題を解決するための手段】
【０００６】
上記目的を達成するために、請求項１記載の発明は、輪郭外面に上面と縦面とを備えた屋外構造物であって、
前記上面の縁部は、その上面の縁部と前記縦面の上縁とで形成される角から離れるにしたがって下り勾配に傾斜する傾斜面を有しており、前記角は半径５ｍｍ以下に形成されており、前記上面縁部に付着した雨水は、その雨水の表面張力、前記角および前記傾斜面との協働により、前記縦面に流れ落ちずに、上面の縁部上を流れ落ちて上面から外に排出されることを特徴としている。
【０００７】
なお、この請求項１記載に発明は、以下に述べる第１実施例の側面、前面、後面が該当し、さらに以下に述べる第２，第３実施例の前面、後面が該当する。
【０００８】
上記目的達成のため、請求項２記載の発明は、輪郭外面に上面と縦面とを備えた屋外構造物であって、
前記上面の縁部と前記縦面の上縁とで角が形成され、前記上面の縁部に付着した雨水は、該上面の縁部および前記角の表面の水接触角と前記角の形状とで決められる、雨水の表面張力による重力に逆らう力により、前記縦面に流れ落ちずに、上面の縁部上を前記角に沿って流れ落ちて上面から外に排出されることを特徴としている。
【０００９】
なお、この請求項２記載の発明は、以下に述べる第２実施例が該当する。
【００１０】
上記目的達成のため、請求項３記載の発明は、輪郭外面に上面と縦面とを備えた屋外構造物であって、
前記上面の縁部と前記縦面の上縁とで角が形成され、前記上面の縁部には、その縁部と前記角との境界線に沿って横方向に延びる帯状の親水性面を有し、この親水性面は、水接触角が前記角よりも小さい３０度以下であり、前記上面の縁部に付着した雨水は、前記角と親水性面との水接触角との差により、前記縦面に流れ落ちずに、前記親水性面上を前記角に沿って流れ落ちて上面から外に排出されることを特徴としている。
【００１１】
なお、この請求項３記載の発明は、以下に述べる第３実施例が該当する。
【００１２】
上記目的達成のため、請求項４記載の発明は、輪郭外面に上面と縦面とを備えた屋外構造物であって、
前記上面に、その上面の雨水を集水する集水手段を設け、前記縦面に、前記集水手段で集水した雨水を流し落とすための上下方向に延びる帯状の縦親水性面を有し、その縦親水性面は、水接触角が３０度以下であり、前記縦親水性面と前記縦面との境界線で水接触角が変わり、前記縦親水性面の水接触角よりも前記縦面の水接触角が大きいことを特徴としている。
【００１３】
なお、この請求項４記載の発明は、後述する第１，２および第３実施例の後面が該当する。
【００１４】
上記目的達成のため、請求項５記載の発明は、前記請求項２または３記載のものにおいて、前記構造物は洗車機本体であり、前記縦面が洗車機本体の側面であることを特徴とする。
【発明の効果】
【００１５】
請求項各項記載の発明によれば、屋外構造物の輪郭外面の、人目につきやすい縦面に雨筋汚れが付き難くして、該屋外構造物の外観上の体裁を高めることができる。
【００１６】
また、請求項５記載の発明によれば、洗車許容高さ（被洗浄車両の洗車許容最大高さ）から洗車機本体の最大高さまでの距離を、上面の突起物を設けて側面に雨筋汚れが付き難くするもの（前記特許文献１のもの）よりも小さくできるので、洗車機本体の最大高さが同じなら、洗車許容高さを高くできる。
【発明を実施するための最良の形態】
【００１７】
本発明の実施の形態を、添付図面に例示した本発明の実施例に基づいて以下に具体的に説明する。
【００１８】
まず、図面１〜１０を参照して本発明の第１実施例について説明する。
【００１９】
この第１実施例は、屋外構造物としての洗車機の洗車機本体に本発明を実施した場合であって、図１は、本発明洗車機本体を備えた洗車機の正面図、図２は、図１の２−２線に沿う洗車機の側面図、図３は、図２の３−３線に沿う洗車機の後面図、図４は、図３の４−４線に沿う洗車機の上面図、図５は、図２の５−５線に沿う拡大断面図、図６は、図２の６−６線に沿う拡大断面図、図７は、図１の７−７線に沿う拡大断面図、図８は、図３の８−８線に沿う拡大断面図、図９は、図４の９矢視仮想線囲い部分の拡大図、図１０は、図４の１０−１０線に沿う拡大断面図である。
【００２０】
図１，２において、洗車機本体１は、その骨格を形成する門型のフレーム２を備え、このフレーム２には、従来公知の洗車機器が設けられており、すなわち車両Ｖの上面を洗浄するトップブラシ３と、車両Ｖの側面を洗浄する左右一対のサイドブラシ４，４と、車両Ｖの上面を乾燥するトップノズル５と、車両Ｖの側面を乾燥する左右一対のサイドノズル６，６とを備え、さらに、図示されない洗浄水噴射装置が設けられている。
【００２１】
また、洗車機本体１は、走行モータｍで駆動される左右一対の駆動輪７，７と左右一対の従動車輪８，８とを備えており、それら駆動輪７，７と左右一対の従動車輪８，８により、地上に敷設される左右一対の走行レール９，９上を往復走行する。
【００２２】
フレーム２の前面右側、すなわち後述する前面外板１２の前面右部板２２（図１参照）には、制御盤３０が設けられ、この制御盤３０内には、洗車機を制御する、従来公知の制御装置が設けられる。
【００２３】
洗車機は、洗車機本体１を左右一対の走行レール９，９上を往復走行させて、トップブラシ３とサイドブラシ４，４と洗浄水噴射装置とを用いたブラッシング洗浄作業、およびトップノズル５とサイドノズル６，６とを用いた乾燥作業からなる洗車を車両Ｖに施すことができる。
【００２４】
つぎに、本発明に従う屋外構造物としての洗車機本体１の構造を、図１〜１０を参照して詳述する。
【００２５】
以下の説明において、洗車機本体１の前面とは、その往行方向前方に対面する面であり、その後面とは、その往行方向後方に対面する面である。
【００２６】
洗車機本体１の骨格を構成するフレーム２は、フレーム部材を枠組みして門型に形成されており、このフレーム２の底面を除く、上、左右、および前後の各外面には、上面外板１０、左右一対の側面外板１１，１１、および前、後面外板１２、１３がそれぞ一体に重ねて取り付けられている。各外板１０，１１，１１、１２，１３は、厚さ０．５ｍｍの鋼板などの金属板製であり、水接触角θが約４０度の塗装が施されている。そして、これらの外板により、洗車機本体１の輪郭外面が形成されている。
【００２７】
図２に示すように、フレーム２の上面は、その前端２ａから後端２ｂに向かって下り勾配に傾斜しており、その後端２ｂは、その前端２ａよりも低くなっている。したがって、上面外板１０は、後述する上面前部板１４の前端よりも上面後部板１６の後端が低くなっている。そして、この傾斜する上面外板１０は、そこに落ちた雨水などを外部に排出するための集水手段を構成している。
【００２８】
図２〜４に示すように、フレーム２の上面を覆う上面外板１０は、上面前部板１４、上面中間部板１５および上面後部板１６を一平面上に順次に一体に接続して構成されており、また、フレーム２の両側面を覆う左右一対の側面外板１１，１１は、それぞれ側面前部板１７、側面中間部板１８および側面後部板１９を一平面上に順次に一体に接続して構成されており、さらに、図１に示すように、フレーム２の前面を覆う前面外板１２は、前面左部板２０、前面中間部板２１および前面右部板２２を一平面上に順次に一体に接続して構成されており、さらにまた、図３に示すように、フレーム２の後面を覆う後面外板１３は、後面左部板２３、後面中間部板２４および後面右部板２５を一平面上に順次に一体に接続して構成されている。
【００２９】
図４，１０に示すように、上面前部板１４と上面中間部板１５との合わせ接続部１０Ａは、上面中間部板１５上に上面前部板１４が重ね合わされ、同じく、上面中間部板１５と上面後部板１６との合わせ接続部１０Ｂは、上面後部板１６上に上面中間部板１５が重ね合わされている。そして、それらの合わせ接続部１０Ａ、１０Ｂは、後述する目張りテープ２８がそれぞれ貼り付けてあり、そこに雨水が浸入するのを防止している。
【００３０】
図５に示すように、側面外板１１の上部は、上面外板１０よりも上方に延びており、外面が半径Ｒ（１ｍｍ）の角１１Ｃを介して鋭角に折り曲げられて上部横面１１Ａ（上面の縁部）を構成している。すなわち、この上部横面１１Ａは、側面外板１１の側面（縦面）１１Ｂと上部横面１１Ａとで形成する角１１Ｃから離れるにしたがって上面外板１０に向かって下り勾配に傾斜する傾斜面になっている。
【００３１】
また、図７に示すように、前面外板１２の上部は、側面外板１１と同様に、上面外板１０よりも上方に延びており、外面の半径Ｒ（１ｍｍ）の角１２Ｃを介して鋭角に折り曲げられて上部横面１２Ａ（上面の縁部）を構成している。すなわち、この上部横面１２Ａは、前面外板１２の前面（縦面）１２Ｂと上部横面１２Ａとで形成する角１２Ｃから上面前部板１４に向かって下り勾配に傾斜する傾斜面になっている。
【００３２】
さらに、図８に示すように、側面外板１１と同様に、後面外板１３の上部は、上面外板１０よりも上方に延びており、外面の半径Ｒ（１ｍｍ）の角１３Ｃを介して鋭角に折り曲げられて上面後部板１６に向かって下り勾配に傾斜する上部横面１３Ａを構成している。すなわち上部横面１３Ａは、後面外板１３の後面１３Ｂ（縦面）と、上部横面１３Ａ（上面の縁部）とで形成する角１３Ｃから上面外板１０に向かって下り勾配に傾斜する傾斜面になっている。
【００３３】
前述したように、この第１実施例では、各外板１１，１２，１３の角１１Ｃ，１２Ｃ，１３Ｃの半径Ｒはいずれも１ｍｍである。
【００３４】
図２，６に示すように、側面中間部板１８と側面後部板１９との突き合わせ部１１Ｄ、および側面中間部板１８と側面前部板１７との突き合わせ部１１Ｅは、それぞれ上下方向に延びる押え板２６で押えられている。それらの押え板２６は小ネジ２７でフレーム２にそれぞれ一体に取り付けられている。そして、各押え板２６の上部は、図５に示すように、側面外板１１に沿うように、内面が半径Ｒ（１ｍｍ）で上面外板１０方向へ鋭角に曲げられている。
【００３５】
図４，５および図７〜９に示すように、左右一対の側面外板１１，１１、前部外板１２および後部外板１３の各自由端部１１Ｆ，１２Ｆ，１３Ｆには、それらの自由端部１１Ｆ，１２Ｆ，１３Ｆと、上面外板１０との隙間から雨水が浸入するのを防止するための目張りテープ２８が貼り付けられている。また、図４，１０に示すように、上面前部板１４の下端１４Ｆは、上面中間板１５との隙間から、また、上面中間板１５の下端１５Ｆは、上面後部板１６との隙間からそれぞれ雨水が浸入するのを防止するための防水テープ２８が貼り付けられている。
【００３６】
また、図３，４および図８，９に示すように、後面左部板２３と後面右部板２５とには、表面の水接触角θが３０度の親水性テープ２９が貼り付けられている。図４，８，９に示すように、親水性テープ２９の上端は、上面後部板１６に貼り付けてある。上面後部板１６と後面外板１３との間の親水性テープ２９の曲がり半径は、雨水が落ち易くするために、大きい方がよい。
【００３７】
また、図８，９に示される、後面外板１３と、上面外板１０の上面後部板１６とで囲まれた空間の開口部ＯＰは、雨水の浸入を防止するためにシリコーンなどの防水剤でコーキングを行う。
【００３８】
つぎに、この第１実施例の作用について説明する。
【００３９】
いま、屋外構造物である、洗車機本体１上に雨が降り、その構造物の上面の縁部としての、上部横面１１Ａ、１２Ａおよび１３Ａ上に落ちた雨水は、それらの上部横面１１Ａ、１２Ａおよび１３Ａの傾斜によって上面外板１０の方向へと向かい、目張りテープ２８上を経て、集水手段としての上面外板１０上に流れる。これにより、縦面としての、側面１１Ｂ、前面１２Ｂおよび後面１３Ｂへ流れる雨水量を減少させることができ、それらの縦面、すなわち側面１１Ｂ、前面１２Ｂおよび後面１３Ｂに、雨筋汚れが付き難くなる。
【００４０】
また、外面が半径Ｒ（１ｍｍ）の角１１Ｃ，１２Ｃ，１３Ｃと、上部横面１１Ａ、１２Ａ，１３Ａと、雨水の表面張力とによる協働作用により、外面が半径Ｒの、角１１Ｃ，１２Ｃ，１３Ｃの曲面の頂点よりも縦面側、すなわち側面１１Ｂ、前面１２Ｂ側および後面１３Ｂ側に付着した雨水の一部は、上部横面１１Ａ，１２Ａ，１３Ａの傾斜により上面外板１０へと流れる。
【００４１】
この雨水の流れ現象を図５により、たとえば、側部外板１１についてさらに具体的に述べれば、角１１Ｃの半径Ｒおよび上部横面１１Ａの傾斜および雨水のもつ表面張力との協働作用によって、角Ｃ上の雨滴ＲＷの雨滴端ＲＥを下へ落とそうとする力（角１１Ｃの外面の表面張力と重力とによる曲面の接線方向の力）Ｆａよりも雨滴端ＲＥを上へ持ち上げようとする力（雨滴の表面張力と、角１１Ｃの外面と雨滴間の界面張力とによる雨滴ＲＥ点での曲面の接線方向の力）Ｆｂの方が大きくなるようにすることができ、これにより、雨滴端ＲＥが上へ持ち上がり、角１１Ｃの頂点よりも側面１１Ｂ側の雨水ＲＷを矢印ＡＲ方向へ流すことができる。
【００４２】
なお、図５中、θａは雨滴の角部水接触角であり、この角部水接触角θａは、雨滴の水平面上での水接触角θよりも小さいことにより、前記力Ｆａは、前記力Ｆｂよりも小さくなる。
【００４３】
以上により、縦面、すなわち側面１１Ｂ，前面１２Ｂおよび後面１３Ｂへ流れる雨水量を減少でき、それらの面１１Ｂ，１２Ｂおよび１３Ｂに雨筋汚れが付き難くなる。
【００４４】
しかして、本出願人による実験結果によれば、側面外板１１、前面外板１２および後面外板１３の角１１Ｃ，１２Ｃ，１３Ｃの各半径Ｒは５ｍｍを超えると、その半径Ｒの曲面上に付着した雨水が、側面外板１１，１１、１２，１３上を伝わって流れ落ちるときに、その流れ落ちる雨水が通る道筋が一定して、各外板１１，１１，１２，１３に雨筋汚れが付き易くなり、すなわち、雨水が通る場所が一定すると、その一定した雨水が通る場所に、雨水に含まれている排気ガス中に含まれる汚染物質などが付着して、筋状に汚れが付き易くなるのに対し各外板１１，１２，１３の前記半径Ｒが５ｍｍ以下になると雨筋汚れ付き難くなることが判明した。
【００４５】
また、上面外板１０上の雨水は、後面左部板２３および後面右部板２５の親水性テープ２９の表面を伝わって流れ落ちるので、親水性テープ２９以外の後面左部板２３および後面右部板２５に雨筋汚れが付き難くなる。
【００４６】
また、上面外板１０上の雨水を排水する排水管を設けなくてもよいので、その分構造が簡単になる上に排水管詰まりに対するメンテナンスが不要になる。
【００４７】
なお、後面外板１３と親水性テープ２９との水接触角θの関係は、親水性テープ２９の水接触角θよりも後面外板１３の水接触角θが大きければよい。また、後面外板１３と親水性テープ２９との水接触角θの差は、大きい方がよい。
【００４８】
また、抑え板２６に雨筋汚れが付き難くするためには、抑え板２６の上部の外面の半径Ｒを、外板１１，１２，１３の上部の半径Ｒと同じ条件にするとよい。
【００４９】
前記第１実施例において、前記側面１１Ｂ、前面１２Ｂおよび後面１３Ｂは、本発明にかかかる「縦面」を構成し、前記上部横面１１Ａ，上部横面１２Ａおよび上部横面１３Ａは、本発明にかかる「上面の縁部」および「傾斜面」を構成し、前記角１１Ｃ、角１２Ｃおよび角１３Ｃは、本発明にかかる「角」を構成し、上面の傾斜と上部横面１３Ａの傾斜は、本発明にかかる「集水手段」を構成している。
【００５０】
つぎに、図１１〜１６を参照して、本発明の第２実施例について説明する。
【００５１】
図１１は、本発明洗車機本体を備えた洗車機の正面図、図１２は、図１１の１２−１２線に沿う洗車機の側面図、図１３は、図１２の１３−１３線に沿う洗車機の後面図、図１４は、図１３の１４−１４線に沿う洗車機の上面図、図１５は、図１２の１５−１５線に沿う拡大断面図、図１６は、図１１の１６−１６線に沿う拡大断面図であり、図中、前記第１実施例と同じ要素には同じ符号が付される。
【００５２】
この第２実施例の構成は、側面外板および前面外板回りの構造が、前記第１実施例のものと相違している。
【００５３】
洗車機本体１の側面外板２１１は、側面上部板２２１と側面中間部板２２２と側面下部板２２３とで構成され、また、前部外板２１２は、前面左部板２２４と前面中間部板２２５と前面右部板２２６とで構成される。
【００５４】
側面外板２１１および前面外板２１２は、第１実施例と同じく厚さ０．５ｍｍの金属製（鋼板）で、その水接触角θが約４０度の塗装が施される。
【００５５】
図１５に示すように、側面外板２１１の上部は、外面が半径Ｒ（１ｍｍ）の角２１１Ｃを介して上面外板１０の方向へ略直角に折り曲げられ上部横面２１１Ａ（上面の縁部）を構成している。
【００５６】
また、図１６に示すように、前面外板２１２の上部は、外面が半径Ｒ（１ｍｍ）の角部２１２Ｃを介して上面外板１０の方向へ鋭角に折り曲げられて上部横面２１２Ａ（上面の縁部）を構成している。すなわち、前面外板２１２の前面、すなわち縦面２１２Ｂを鉛直にしたときに、上部横面２１２Ａが、フレーム２（第１実施例と同じく前後方向に傾斜）の上面と同じ傾斜になるように折り曲げられている。
【００５７】
しかして、上部横面２１２Ａは、前面外板２１２の前面２１２Ｂ（縦面）と上部横面２１２Ａ（上面の縁部）で形成する角２１２Ｃから離れるにしたがって下り勾配に傾斜する傾斜面になっている
この第２実施例も前記半径Ｒは１ｍｍである。
【００５８】
図１６に示すように、上部横面２１２Ａは、両面テープ４１で上面前部板１４の上面に貼り付けられている。この両面テープ４１で、上部横面２１２Ａと上面前部板１４との隙間から雨水が浸入するのを防止する。
【００５９】
また、図１４，１６に示すように、前面外板２１２の上部自由端２１２Ｆには、目張りテープ２８が貼り付けられていない。
【００６０】
なお、図１３の８−８線に沿う断面は、前記第１実施例の図８と同じである。
【００６１】
つぎに、この第２実施例の作用について説明する。
【００６２】
図１５に示すように、上部横面２１１Ａ（上面の縁部）上の雨水ＲＷは、角２１１Ｃから縦面すなわち側面２１１Ｂへ流れ落ち難く、上面外板１０の前後方向の上面傾斜（図１２参照）に沿って、上部横面２１１Ａ上を後端２ｂへと流れ、すなわち、雨水ＲＷは、上部横面２１１Ａ上を図１５の紙面に対して直角方向へ流れる。これにより、上部横面２１１Ａ上から縦面である側面２１１Ｂへ流れる雨水量を減少できて側面２１１Ｂに雨筋汚れが付き難くなる。何故ならば、雨水ＲＷは、その表面張力で、雨水端ＲＥが図１５に示す位置に止まり、２１１Ｃから側面２１１Ｂへ流れ落ち難くなるためである。
【００６３】
前面外板２１２の前面上部は、第１実施例の前面外板１２の上部と同じ作用であり、すなわち、図１６に示すように、上部横面２１２Ａ上の雨水ＲＷは、上部横面２１２Ａの傾斜により、上部横面２１２Ａ上から上面前部板１４上へ流れるので、上部横面２１２Ａ上から前面２１２Ｂへ流れる雨水量を減少でき、前面２１２Ｂに雨筋汚れが付き難くなる。      
【００６４】
なお、後面外板１３については、前記第１実施例と同じである。
【００６５】
この第２実施例によれば、洗車許容高さから洗車機本体１の最大高さまでの距離を、その上面に突起物を設けて側面２１１Ｂ、前面２１２Ｂに雨筋汚れが付き難くする場合よりも小さくできるので、洗車機本体１の最大高さが同じなら、洗車許容高さを高くできる。      
【００６６】
前記第２実施例において、側面２１１Ｂ，２１２Ｂは、本発明にかかる「縦面」を構成し、また上部横面２１１Ａ，２１２Ａは、本発明にかかる「上面の縁部」を構成し、さらに角２１１Ｃ，２１２Ｃは、本発明にかかる「角」を構成し、上面の傾斜と上部横面１３Ａの傾斜は、本発明にかかる「集水手段」を構成している。
【００６７】
つぎに、図１７〜２２を参照して、本発明の第３実施例について説明する。
【００６８】
図１７は、本発明洗車機本体を備えた洗車機の正面図、図１８は、図１７の１８−１８線に沿う洗車機の側面図、図１９は、図１８の１９−１９線に沿う洗車機の後面図、図２０は、図１９の２０−２０線に沿う洗車機の上面図、図２１は、図１８の２１−２１線に沿う拡大断面図、図２２は、図１７の２２−２２線に沿う拡大断面図であり、図中、前記第１，２実施例と同じ要素には同じ符号が付される。
【００６９】
この第３実施例の構造は、側面外板および前面外板回りの構造が、前記第２実施例と相違しており、その他の構造は前記第２実施例と同じである。
【００７０】
また、この第３実施例では、図２２に示すように、上部横面２１２Ａは、両面テープ４１（第２実施例）で上面前部板１４の上面に貼り付けられておらず、また、図２１に示すように、側面外板２１１の上部自由端２１１Ｆは、目張りテープ２８（第２実施例）を貼り付けていない。
【００７１】
図２０，２１に示すように、側面外板２１１および前面外板２１２の各上部自由端２１１Ｆ，２１２Ｆには、表面の水接触角θが３０度以下の親水性テープ３２９が貼り付けられている。この親水性テープ３２９は、上部自由端２１１Ｆ，２１２Ｆと上面外板１０との隙間から雨水が浸入するのを防止できるように貼り付けてある。親水性テープ３２９の側面側の端部３２９Ａは、角２１１Ｃと上部横面２１１Ａとの境界線と略一致し、前面側の端部３２９Ｂは、角２１２Ｃと上部横面２１２Ａとの境界線と略一致している。
【００７２】
図２０に示すように、親水性テープ３２９の上部自由端２１２Ｆに沿う部分３２９Ｃの左右側面側には、阻止テープ５１，５１がそれぞれ貼り付けられており、これらの阻止テープ５１，５１は、親水性テープ３２９の上部横面２１２Ａ上の部分３２９Ｃ上の雨水が、親水性テープ３２９の上部横面２１１Ａ上の部分３２９Ｄへ流れるのを阻止する。
【００７３】
また、図２０に示すように、阻止テープ５１の前端部５１Ａは、前記部分３２９Ｃ上の雨水が上面前部外板１４へ流れ易いように、左側の阻止テープ５１では、左側の側面外板２１１から離れるにしたがって、また右側の阻止テープ５１では、右側の側面外板２１１から離れるにしたがって後面外板１３に近づく傾斜になっている。
【００７４】
なお、図１９，２０中、符号３２９Ｅは、後面左部板２３と後面右部板２５とに貼り付けた親水性テープを示す。
【００７５】
つぎに、第３実施例の作用について説明する。
【００７６】
前記部分３２９Ｄ上の雨水ＲＷは、縦面である側面２１１Ｂへ流れ落ち難く、洗車機本体の上面の傾斜に沿って前記部分３２９Ｄ上をその後端２ｂへ流れる、すなわち、雨水ＲＷは、前記部分３２９Ｄ上を図２１の紙面に対して直角方向へ流れるので、前記部分３２９Ｄから縦面である側面２１１Ｂへ流れる雨水量を減少できて、側面２１１Ｂに雨筋汚れが付き難くなる。
【００７７】
部分３２９Ｄ上の雨水ＲＷが、側面２１１Ｂへ流れ難くなるのは、親水性テープ３２９の水接触角θが３０度以下であり、かつ側面側の端部３２９Ａのところで水接触角θが変わるためである。
【００７８】
図２２に示すように、前記部分３２９Ｃ上の雨水ＲＷは、前述の部分３２９Ｄ上の雨水の場合と同じ理由により、縦面である前面２１２Ｂへ流れ落ちに難く、前記部分３２９Ｃの傾斜に沿って上面前部板１４へ流れるので、前記部分３２９Ｃ上から前面２１２Ｂへ流れる雨水量を減少できて、前面２１２Ｂに雨筋汚れが付き難くなる。
【００７９】
第３実施例の側面外板２１１の角２１１Ｃ、前面外板２１２の角２１２Ｃの半径Ｒは、第１実施例と同様の理由で、５ｍｍ以下がよい。
【００８０】
また、洗車機本体１の後面１３の構成は、前記第１実施例と同じである。
【００８１】
なお、側面外板２１１、前面外板２１２と、親水性テープ３２９との水接触角θの関係は、親水性テープ３２９の水接触角θよりも側面外板２１１、前面外板２１２の水接触角θが大きければよい。また、側面外板２１１、前面外板２１２と、親水性テープ３２９との水接触角θの差は、大きい方がよい。
【００８２】
この第３実施例によれば、前記第２実施例と同じく、洗車許容高さから洗車機本体１の最大高さまでの距離を、その上面に突起物を設けて側面２１１Ｂ、前面２１２Ｂに雨筋汚れが付き難くする場合よりも小さくできるので、洗車機本体１の最大高さが同じなら、洗車許容高さを高くできる。
【００８３】
前記第３実施例において、側面２１１Ｂ，前面２１２Ｂは、本発明にかかる「縦面」を構成し、上部横面２１１Ａ，２１２Ａは、本発明にかかる「上面の縁部」を構成し、角２１１Ｃ，２１２Ｃは、本発明にかかる「角」を構成し、親水性テープ３２９は、本発明にかかる「親水性面」を構成し、上面の傾斜と上部横面１３Ａの傾斜は、本発明にかかる「集水手段」を構成している。
【００８４】
以上、本発明の実施例について説明したが、本発明はその実施例に限定されることなく、本発明の範囲内で種々の実施例が可能である。
【００８５】
たとえば、前記実施例では、本発明を洗車機の洗車機本体１に実施した場合について説明したが、これを建物などの他の屋外構造物に実施することができる。また、親水性テープ２９，３２９に代えて、親水性塗料、親水性樹脂コーティングでもよい。
【図面の簡単な説明】
【００８６】
【図１】本発明洗車機本体を備えた洗車機の正面図（第１実施例）
【図２】図１の２−２線に沿う洗車機の側面図（第１実施例）
【図３】図２の３−３線に沿う洗車機の後面図（第１実施例）
【図４】図３の４−４線に沿う洗車機の上面図（第１実施例）
【図５】図２の５−５線に沿う拡大断面図（第１実施例）
【図６】図２の６−６線に沿う拡大断面図（第１実施例）
【図７】図１の７−７線に沿う拡大断面図（第１実施例）
【図８】図３および図１３の８−８線に沿う断面図（第１および第２実施例）
【図９】図４の９矢視仮想線囲い部分の拡大図（第１実施例）
【図１０】図４の１０−１０線に沿う拡大断面図（第１実施例）
【図１１】本発明洗車機本体を備えた洗車機の正面図（第２実施例）
【図１２】図１１の１２−１２線に沿う洗車機の側面図（第２実施例）
【図１３】図１２の１３−１３線に沿う洗車機の後面図（第２実施例）
【図１４】図１３の１４−１４線に沿う洗車機の上面図（第２実施例）
【図１５】図１２の１５−１５線に沿う拡大断面図（第２実施例）
【図１６】図１１の１６−１６線に沿う拡大断面図（第２実施例）
【図１７】本発明洗車機本体を備えた洗車機の正面図（第３実施例）
【図１８】図１７の１８−１８線に沿う洗車機の側面図（第３実施例）
【図１９】図１８の１９−１９線に沿う洗車機の後面図（第３実施例）
【図２０】本発明洗車機本体を備えた洗車機の正面図（第３実施例）
【図２１】図１８の２１−２１線に沿う拡大断面図（第３実施例）
【図２２】図１７の２２−２２線に沿う拡大断面図（第３実施例）
【符号の説明】
【００８７】
１・・・・・・・・・・・・・・洗車機本体
１０・・・・・・・・・・・・・上面（上面外板）
１１，１２，１３・・・・・・・縦面（側面外板，前面外板，後面外板）
１１Ａ，１２Ａ，１３Ａ・・・・上面の縁部（上部横面）
１１Ｂ，１２Ｂ，１３Ｂ・・・・縦面（側面、前面、後面）
１１Ｃ，１２Ｃ，１３Ｃ・・・・角
２１１Ａ，２１２Ａ・・・・・・上面の縁部（上部横面）
２１１Ｂ，２１２Ｂ・・・・・・縦面（上部横面）
２１１Ｃ，２１２Ｃ・・・・・・角
２９，３２９Ｅ・・・・・・・・縦親水性面（親水性テープ）
３２９・・・・・・・・・・・・親水性面（親水性テープ）
【図１】
2006224843.tif 000003
【図２】
2006224843.tif 000004
【図３】
2006224843.tif 000005
【図４】
2006224843.tif 000006
【図５】
2006224843.tif 000007
【図６】
2006224843.tif 000008
【図７】
2006224843.tif 000009
【図８】
2006224843.tif 000010
【図９】
2006224843.tif 000011
【図１０】
2006224843.tif 000012
【図１１】
2006224843.tif 000013
【図１２】
2006224843.tif 000014
【図１３】
2006224843.tif 000015
【図１４】
2006224843.tif 000016
【図１５】
2006224843.tif 000017
【図１６】
2006224843.tif 000018
【図１７】
2006224843.tif 000019
【図１８】
2006224843.tif 000020
【図１９】
2006224843.tif 000021
【図２０】
2006224843.tif 000022
【図２１】
2006224843.tif 000023
【図２２】
2006224843.tif 000024
【手続補正書】
【提出日】平成17年3月9日(2005.3.9)
【手続補正１】
【補正対象書類名】特許請求の範囲
【補正対象項目名】請求項３
【補正方法】変更
【補正の内容】
【請求項３】
輪郭外面に上面と縦面とを備えた屋外構造物であって、
前記上面の縁部と前記縦面の上縁とで角が形成され、前記上面の縁部には、その縁部と前記角との境界線に沿って横方向に延びる帯状の親水性面を有し、この親水性面は、水接触角が前記角よりも小さい３０度以下であり、前記上面の縁部に付着した雨水は、前記角と親水性面との水接触角の差により、前記縦面に流れ落ちずに、前記親水性面上を前記角に沿って流れ落ちて上面から外に排出されることを特徴とする、屋外構造物。
【手続補正２】
【補正対象書類名】明細書
【補正対象項目名】０００９
【補正方法】変更
【補正の内容】
【０００９】
なお、この請求項２記載の発明は、以下に述べる第２実施例の側面が該当する。
【手続補正３】
【補正対象書類名】明細書
【補正対象項目名】００１０
【補正方法】変更
【補正の内容】
【００１０】
上記目的達成のため、請求項３記載の発明は、輪郭外面に上面と縦面とを備えた屋外構造物であって、
前記上面の縁部と前記縦面の上縁とで角が形成され、前記上面の縁部には、その縁部と前記角との境界線に沿って横方向に延びる帯状の親水性面を有し、この親水性面は、水接触角が前記角よりも小さい３０度以下であり、前記上面の縁部に付着した雨水は、前記角と親水性面との水接触角の差により、前記縦面に流れ落ちずに、前記親水性面上を前記角に沿って流れ落ちて上面から外に排出されることを特徴としている。
【手続補正４】
【補正対象書類名】明細書
【補正対象項目名】００１１
【補正方法】変更
【補正の内容】
【００１１】
なお、この請求項３記載の発明は、以下に述べる第３実施例の側面が該当する。
【手続補正５】
【補正対象書類名】明細書
【補正対象項目名】００６６
【補正方法】変更
【補正の内容】
【００６６】
前記第２実施例において、側面２１１Ｂ，前面２１２Ｂは、本発明にかかる「縦面」を構成し、また上部横面２１１Ａ，２１２Ａは、本発明にかかる「上面の縁部」を構成し、さらに角２１１Ｃ，２１２Ｃは、本発明にかかる「角」を構成し、上面の傾斜と上部横面１３Ａの傾斜は、本発明にかかる「集水手段」を構成している。